(57)【特許請求の範囲】
【請求項１】
モバイル通信ネットワーク内におけるセル発見のための修正参照信号伝送をサポートするシステムであって、
複数の基地局の各々における参照信号修正ユニットであって、前記参照信号修正ユニットは、動作時、
参照信号（ＲＳ）の１つのサブフレーム中に前記複数の基地局を表すように前記ＲＳを修正することであって、前記修正ＲＳにおいて表される前記基地局の数は、最大化されており、前記ＲＳは、単一基地局を表すリソース要素（ＲＥ）の数を変化させることによって修正される、ことと、
前記１つのサブフレームに含まれる複数のリソース要素上で前記修正ＲＳを前記基地局のサービスエリア内に位置している１つ以上のユーザ機器（ＵＥ）に伝送することであって、前記複数の基地局の各々は、前記複数のリソース要素のうちのそれぞれのサブセットを配分される、ことと
を行うように構成されている、参照信号修正ユニットと、
前記ＵＥの各々における発見信号（ＤＳ）ユニットであって、前記発見信号ユニットは、動作時、
前記修正ＲＳを受信すると、前記修正ＲＳにおける前記複数の基地局を発見することと、
前記受信された修正ＲＳの強度を測定し、前記基地局に報告を返すことと
を行うように構成されている、発見信号ユニットと
を備え、
前記参照信号修正ユニットは、
単一基地局が、定義された物理リソースブロック（ＰＲＢ）上でのみ前記ＲＳを伝送するように、異なる基地局のために前記ＲＳの周波数ドメイン多重化をサポートすることと、
開始ＰＲＢ、次のＰＲＢへの周波数ジャンプ、および前記修正ＲＳ内の総ＰＲＢの数のうちの１つ以上のものを規定することと
を行うようにさらに構成されている、システム。
【請求項２】
前記モバイル通信ネットワークは、ＬＴＥネットワークである、請求項１に記載のシステム。
【請求項３】
前記ＲＳは、チャネル状態情報参照信号（ＣＳＩ−ＲＳ）である、請求項１に記載のシステム。
【請求項４】
前記基地局の各々は、マクロ基地局、高伝送電力基地局、低伝送電力ノード（ＬＰＮ）、ならびに、識別および接続のために多層ネットワークにおいてそのセル識別情報を前記ＵＥのうちの１つに伝送するように動作可能である別の基地局のうちの１つである、請求項１に記載のシステム。
【請求項５】
前記ＵＥの各々は、モバイルデバイスである、請求項１に記載のシステム。
【請求項６】
前記参照信号修正ユニットは、前記サブフレーム内の複数の物理リソースブロック（ＰＲＢ）のうちの１つに前記複数のリソース要素（ＲＥ）を配分するように構成されている、請求項１に記載のシステム。
【請求項７】
前記参照信号修正ユニットは、利用される前記ＲＥの数を最小限に減少させる一方、前記修正ＲＳにおいて表される前記セルの数を一定に保つように構成されている、請求項６に記載のシステム。
【請求項８】
前記参照信号修正ユニットは、前記修正ＲＳにおける１つのＰＲＢ内に配分される前記ＲＥの数の最小粒度を変化させるように構成されている、請求項６に記載のシステム。
【請求項９】
前記参照信号修正ユニットは、前記基地局のうちの１つのために、前記ＰＲＢ内の前記ＲＥの全てを利用するように構成されている、請求項６に記載のシステム。
【請求項１０】
前記参照信号修正ユニットは、前記基地局の各々のために、前記ＰＲＢ内の前記ＲＥのうちの１つを利用するように構成されている、請求項６に記載のシステム。
【請求項１１】
前記参照信号修正ユニットは、基地局あたりのＲＥおよび／またはＰＲＢの最小要求数が利用され、前記基地局の最大数が前記１つのサブフレーム内に表されるように、セル／ＲＳリソースマッピングを提供するように構成されている、請求項６に記載のシステム。
【請求項１２】
前記参照信号修正ユニットは、前記ＲＥの配分のために利用可能なＰＲＢの最大数を考慮するように構成され、前記利用可能なＰＲＢの最大数は、前記モバイル通信ネットワークの利用可能な帯域幅に基づいて可変である、請求項１１に記載のシステム。
【請求項１３】
前記参照信号修正ユニットは、信号強度および品質計算に基づいて、あるＰＲＢを前記ＲＳから除外するように構成され、前記除外されたＰＲＢは、旧来のＵＥへの無干渉物理ダウンリンク共有チャネル（ＰＤＳＣＨ）伝送のために使用される、請求項１に記載のシステム。
【請求項１４】
前記ＤＳユニットは、前記ＲＥを使用して前記修正参照信号を伝送する前記基地局の数に基づいて、前記基地局のうちのどれが、どのＲＥ上で前記修正参照信号を伝送するかを導出するように構成されている、請求項６に記載のシステム。
【請求項１５】
前記ＤＳユニットは、前記受信された修正ＲＳの強度および品質の両方を測定し、Ｎ個の最強のものを報告するように構成されている、請求項１に記載のシステム。
【請求項１６】
前記参照信号修正ユニットは、前記受信された修正ＲＳの強度および品質を前記基地局にマップするテーブルを確立するように構成されている、請求項１５に記載のシステム。
【請求項１７】
モバイル通信ネットワーク内におけるセル発見のための修正参照信号伝送をサポートする方法であって、
参照信号（ＲＳ）の１つのサブフレーム中に複数の基地局を表すように前記ＲＳを修正することであって、前記修正ＲＳにおいて表される前記基地局の数は、最大化されており、前記ＲＳは、単一基地局を表すリソース要素（ＲＥ）の数を変化させることによって修正される、ことと、
前記１つのサブフレームに含まれる複数のリソース要素上で前記修正ＲＳを前記基地局のサービスエリア内に位置している１つ以上のユーザ機器（ＵＥ）に伝送することであって、前記複数の基地局の各々は、前記複数のＲＥのうちのそれぞれのサブセットを配分される、ことと、
前記修正ＲＳを受信すると、前記ＵＥによって、前記修正ＲＳにおける前記複数の基地局を発見することと、
前記受信された修正ＲＳの強度を測定し、前記基地局に報告を返すことと、
単一基地局が、定義された物理リソースブロック（ＰＲＢ）上でのみ前記ＲＳを伝送するように、異なる基地局のために前記ＲＳの周波数ドメイン多重化をサポートすることと、
開始ＰＲＢ、次のＰＲＢへの周波数ジャンプ、および前記修正ＲＳ内の総ＰＲＢの数のうちの１つ以上のものを規定することと
を含む、方法。
【請求項１８】
前記複数のリソース要素（ＲＥ）を前記サブフレーム内の複数の物理リソースブロック（ＰＲＢ）のうちの１つに配分することをさらに含む、請求項１７に記載の方法。
【請求項１９】
利用される前記ＲＥの数を最小限に減少させる一方、前記修正ＲＳにおいて表される前記セルの数を一定に保つことをさらに含む、請求項１８に記載の方法。
【請求項２０】
前記修正ＲＳにおける１つのＰＲＢ内に配分される前記ＲＥの数の最小粒度を変化させることをさらに含む、請求項１８に記載の方法。
【請求項２１】
前記セルのうちの１つのために、前記ＰＲＢ内のＲＥの全てを利用することをさらに含む、請求項１８に記載の方法。
【請求項２２】
前記セルの各々のために、前記ＰＲＢ内のＲＥのうちの１つを利用することをさらに含む、請求項１８に記載の方法。
【請求項２３】
セルあたりのＲＥおよび／またはＰＲＢの最小要求数が利用され、前記基地局の最大数が前記１つのサブフレーム内に表されるように、セル／ＲＳリソースマッピングを提供することをさらに含む、請求項１８に記載の方法。
【請求項２４】
前記ＲＥの配分のために利用可能なＰＲＢの最大数を考慮することをさらに含み、前記利用可能なＰＲＢの最大数は、前記モバイル通信ネットワークの利用可能な帯域幅に基づいて可変である、請求項２３に記載の方法。
【請求項２５】
信号強度および品質計算に基づいて、あるＰＲＢを前記ＲＳから除外することをさらに含み、前記除外されたＰＲＢは、旧来のＵＥへの無干渉物理ダウンリンク共有チャネル（ＰＤＳＣＨ）伝送のために使用される、請求項１７に記載の方法。
【請求項２６】
前記ＲＥを使用して前記修正参照信号を伝送する前記基地局の数に基づいて、前記基地局のうちのどれが、どのＲＥ上で前記修正参照信号を伝送するかを導出することをさらに含む、請求項１８に記載の方法。
【請求項２７】
前記受信された修正ＲＳの強度および品質の両方を測定し、Ｎ個の最強のものを報告することをさらに含む、請求項１７に記載の方法。
【請求項２８】
前記受信された修正ＲＳの強度および品質を前記基地局にマップするテーブルを確立することをさらに含む、請求項２７に記載の方法。
【発明の詳細な説明】
【技術分野】
【０００１】
（関連出願）
本願は、米国特許法§１１９（ｅ）に基づき、仮出願第６１／８８１，６５８号（２０１３年９月２４日出願、名称「ＡＰＰＡＲＡＴＵＳ  ＡＮＤ  ＭＥＴＨＯＤ  ＦＯＲ  ＭＯＤＩＦＩＥＤ  ＲＥＦＥＲＥＮＣＥ  ＳＩＧＮＡＬ  ＴＲＡＮＳＭＩＳＳＩＯＮ  ＦＯＲ  ＣＥＬＬ  ＤＩＳＣＯＶＥＲＹ」）に対する優先権の利益を主張し、上記出願は、その全体が参照により本明細書に援用される。
【０００２】
（発明の分野）
本発明は、概して、セルラー通信システムに関し、特に、複数の低電力ノードがマクロ基地局のサービスエリア内で展開される、異種ネットワークに関する。
【背景技術】
【０００３】
現代のセルラー通信システムは、世界中で、音声サービスだけでなく、モバイルブロードバンドサービスも提供している。携帯電話および他のワイヤレスデバイスに関する用途の数が、増加し続け、かつてないほど増加するより多くのデータ量を消費し続けるにつれて、モバイルブロードバンドデータサービスに対する膨大な需要が、もたらされる。これは、通信会社のオペレータに、データスループットを改善し、限定されたリソースの効率的利用を最大化することを要求する。
【０００４】
２地点間リンクのスペクトル効率は、すでにその理論的限界に近づきつつあるため、データスループットを増加させるための方法の１つは、大きなセルをますます小さなセルに分割することである。しかしながら、セルが、互により近接するようになると、隣接するセル間の干渉が、より深刻となり、セル分割は、飽和する。さらに、オペレータのための基地局を設置するための新しい用地を取得することは、より困難となりつつあり、コストもまた、増加している。したがって、セル分割だけでは、需要を充足させることはできない。
【０００５】
最近、異種ネットワーク（ＨｅｔＮｅｔ）と呼ばれる、新しいタイプのネットワーク展開が提案されており、業界において多くの関心を集め、多くの試みが成されている。ＨｅｔＮｅｔでは、複数の低電力ノード（ＬＰＮ）の別の階層が、既存のマクロ基地局のサービスエリア内のセルとして追加される。低電力ノードは、マクロノードと同一キャリア周波数上または異なるキャリア周波数上で動作し得る。効率的ネットワーク動作のために、低電力ノード／セルは、ユーザ機器（ＵＥ）によって発見されることができることが望ましい。セルを発見するための旧来の解決策（例えば、ＬＴＥＲ８−Ｒ１１）は、ＬＴＥ基地局（ｅＮＢ）に、一次同期信号（ＰＳＳ）および二次同期信号（ＳＳＳ）を５ｍｓ毎に伝送させることである。ＵＥは、新しいセルを探すとき、これらのＰＳＳ／ＳＳＳ信号を検索する。第３世代パートナーシッププロジェクト（３ＧＰＰ）規格の進化の間、この旧来のアプローチは、ＨｅｔＮｅｔ展開から生じる少なくとも以下の新しい課題に対処するために十分ではないことが見出されている。
ａ）異なるセルからの異なるＰＳＳ／ＳＳＳシーケンス間の相互干渉は、非常に高い。ＰＳＳ／ＳＳＳは、ＨｅｔＮｅｔ内で今生じているようなセルの高密度展開のために設計されていない。その結果、多くのセルが存在するとき、ＵＥは、それらのうちのいくつかを見つけることのみ可能である。
ｂ）電力を節約し、干渉を低減させるために、スモールセルが必要とされないとき（例えば、低負荷を有するとき、または負荷が全くないとき）、スモールセルをアイドルモードに切り替えることが望ましい。アイドル期間の間、ＰＳＳ／ＳＳＳ伝送をオフに切り替えることもまた、望ましいであろう。しかしながら、ＵＥは、ＰＳＳ／ＳＳＳがシャットオフされているとき、セルの存在を発見することができないであろう。
【発明の概要】
【課題を解決するための手段】
【０００６】
一実施形態では、本発明は、スモールセルの効率的発見を促進するために、修正参照信号を利用する。一実施形態では、周波数多重化が利用されることにより、１つのセルがシステム帯域幅全体にわたって全てのＰＲＢを使用するのではなく、異なるセルがその発見信号を異なる物理リソースブロック（ＰＲＢ）上で伝送することを可能にする。
【０００７】
本発明の１つの例示的実施形態では、効率的スモールセル発見のために使用される、修正チャネル状態情報参照信号（ＣＳＩ−ＲＳ）伝送および発見技法が、本明細書に説明される。本明細書で使用される場合、「効率的発見」は、１つのサブフレーム中に可能な限り多くのセルを見つけ、旧来の機構に可能な限り影響を及ぼさないことを指す。
【０００８】
本発明は、修正ＣＳＩ−ＲＳ信号に限定されないことを理解されたい。例えば、測位参照信号（ＰＲＳ）等の他の信号も、同様に修正され得る。例えば、ＬＴＥ規格において使用するための完全に新しい信号の設計さえ、本発明の範囲内で検討される。
【０００９】
本発明のさらなる特徴および利点ならびに本発明の種々の実施形態の構造および動作は、付随の図面を参照して、以下に詳細に説明される。
本発明はさらに、例えば、以下を提供する。
（項目１）
モバイル通信ネットワーク内におけるセル発見のための修正参照信号伝送をサポートするシステムであって、
複数の基地局の各々における参照信号修正ユニットであって、前記参照信号修正ユニットは、動作時、
参照信号（ＲＳ）を修正し、前記ＲＳの１つのサブフレーム中に前記複数の基地局を表すことであって、前記修正ＲＳにおいて表される前記セルの数は、最大化されている、ことと、
前記修正ＲＳを前記基地局のサービスエリア内に位置している１つ以上のユーザ機器（ＵＥ）に伝送することと
を行うように構成されている、参照信号修正ユニットと、
前記ＵＥの各々における発見信号（ＤＳ）ユニットであって、前記発見信号ユニットは、動作時、
前記修正ＲＳを受信すると、前記修正ＲＳにおける前記複数の基地局を発見することと、
前記受信された修正ＲＳの強度を測定し、前記基地局に報告を返すことと
を行うように構成されている、発見信号ユニットと
を備えている、システム。
（項目２）
前記モバイル通信ネットワークは、ＬＴＥネットワークである、項目１に記載のシステム。
（項目３）
前記ＲＳは、チャネル状態情報参照信号（ＣＳＩ−ＲＳ）である、項目１に記載のシステム。
（項目４）
前記基地局の各々は、マクロ基地局、高伝送電力基地局、低伝送電力ノード（ＬＰＮ）、ならびに、識別および接続のために多層ネットワークにおいてそのセル識別情報を前記ＵＥのうちの１つに伝送するように動作可能である別の基地局のうちの１つである、項目１に記載のシステム。
（項目５）
前記ＵＥの各々は、モバイルデバイスである、項目１に記載のシステム。
（項目６）
前記参照信号修正ユニットは、前記サブフレーム内の複数の物理リソースブロック（ＰＲＢ）のうちの１つに複数のリソース要素（ＲＥ）を配分するように構成されている、項目１に記載のシステム。
（項目７）
前記参照信号修正ユニットは、利用される前記ＲＥの数を最小限に減少させる一方、前記修正ＲＳにおいて表される前記セルの数を一定に保つように構成されている、項目６に記載のシステム。
（項目８）
前記参照信号修正ユニットは、前記修正ＲＳにおける１つのＰＲＢ内に配分される前記ＲＥの数の最小粒度を変化させるように構成されている、項目６に記載のシステム。
（項目９）
前記参照信号修正ユニットは、前記基地局のうちの１つのために、前記ＰＲＢ内の前記ＲＥの全てを利用するように構成されている、項目６に記載のシステム。
（項目１０）
前記参照信号修正ユニットは、前記基地局の各々のために、前記ＰＲＢ内の前記ＲＥのうちの１つを利用するように構成されている、項目６に記載のシステム。
（項目１１）
前記参照信号修正ユニットは、基地局あたりのＲＥおよび／またはＰＲＢの最小要求数が利用され、前記基地局の最大数が１つのサブフレーム内に表されるように、セル／ＲＳリソースマッピングを提供するように構成されている、項目６に記載のシステム。
（項目１２）
前記参照信号修正ユニットは、前記ＲＥの配分のために利用可能なＰＲＢの最大数を考慮するように構成され、前記利用可能なＰＲＢの最大数は、前記モバイル通信ネットワークの利用可能な帯域幅に基づいて可変である、項目１１に記載のシステム。
（項目１３）
前記参照信号修正ユニットは、異なる基地局のために前記ＲＳの周波数ドメイン多重化をサポートするように構成され、それによって、単一基地局は、定義された物理リソースブロック（ＰＲＢ）上でのみ、前記ＲＳを伝送する、項目１に記載のシステム。
（項目１４）
前記参照信号修正ユニットは、開始ＰＲＢ、次のＰＲＢへの周波数ジャンプ、前記修正ＲＳ内の総ＰＲＢの数のうちの１つ以上のものを規定するように構成されている、項目１３に記載のシステム。
（項目１５）
前記参照信号修正ユニットは、信号強度および品質計算に基づいて、あるＰＲＢを前記ＲＳから除外するように構成され、前記除外されたＰＲＢは、旧来のＵＥへの無干渉物理ダウンリンク共有チャネル（ＰＤＳＣＨ）伝送のために使用される、項目１３に記載のシステム。
（項目１６）
前記ＤＳユニットは、前記ＲＥを使用して伝送される前記基地局の数に基づいて、前記基地局のうちのどれが、どのＲＥ上で伝送されるかを導出するように構成されている、項目６に記載のシステム。
（項目１７）
前記ＤＳユニットは、前記受信された修正ＲＳの強度および品質の両方を測定し、Ｎ個の最強のものを報告するように構成されている、項目１に記載のシステム。
（項目１８）
前記参照信号修正ユニットは、前記受信された修正ＲＳの強度および品質を前記基地局にマップするテーブルを確立するように構成されている、項目１７に記載のシステム。
（項目１９）
モバイル通信ネットワーク内におけるセル発見のための修正参照信号伝送をサポートする方法であって、
参照信号（ＲＳ）を修正し、前記ＲＳの１つのサブフレーム中に複数の基地局を表すことであって、前記修正ＲＳにおいて表される前記基地局の数は、最大化されている、ことと、
前記修正ＲＳを前記基地局のサービスエリア内に位置している１つ以上のユーザ機器（ＵＥ）に伝送することと、
前記修正ＲＳを受信すると、前記ＵＥによって、前記修正ＲＳにおける複数の基地局を発見することと、
前記受信された修正ＲＳの強度を測定し、前記基地局に報告を返すことと
を含む、方法。
（項目２０）
複数のリソース要素（ＲＥ）を前記サブフレーム内の複数の物理リソースブロック（ＰＲＢ）のうちの１つに配分することをさらに含む、項目１９に記載の方法。
（項目２１）
利用される前記ＲＥの数を最小限に減少させる一方、前記修正ＲＳにおいて表される前記セルの数を一定に保つことをさらに含む、項目２０に記載の方法。
（項目２２）
前記修正ＲＳにおける１つのＰＲＢ内に配分される前記ＲＥの数の最小粒度を変化させることをさらに含む、項目２０に記載の方法。
（項目２３）
前記セルのうちの１つのために、前記ＰＲＢ内のＲＥの全てを利用することをさらに含む、項目２０に記載の方法。
（項目２４）
前記セルの各々のために、前記ＰＲＢ内のＲＥのうちの１つを利用することをさらに含む、項目２０に記載の方法。
（項目２５）
セルあたりのＲＥおよび／またはＰＲＢの最小要求数が利用され、前記基地局の最大数が１つのサブフレーム内に表されるように、セル／ＲＳリソースマッピングを提供することをさらに含む、項目２０に記載の方法。
（項目２６）
前記ＲＥの配分のために利用可能なＰＲＢの最大数を考慮することをさらに含み、前記利用可能なＰＲＢの最大数は、前記モバイル通信ネットワークの利用可能な帯域幅に基づいて可変である、項目２５に記載の方法。
（項目２７）
異なる基地局のために前記ＲＳの周波数ドメイン多重化をサポートすることをさらに含み、それによって、単一基地局は、定義された物理リソースブロック（ＰＲＢ）上でのみ、前記ＲＳを伝送する、項目１９に記載の方法。
（項目２８）
開始ＰＲＢ、次のＰＲＢへの周波数ジャンプ、前記修正ＲＳ内の総ＰＲＢの数のうちの１つ以上のものを規定することをさらに含む、項目２７に記載の方法。
（項目２９）
信号強度および品質計算に基づいて、あるＰＲＢを前記ＲＳから除外することをさらに含み、前記除外されたＰＲＢは、旧来のＵＥへの無干渉物理ダウンリンク共有チャネル（ＰＤＳＣＨ）伝送のために使用される、項目２７に記載の方法。
（項目３０）
前記ＲＥを使用して伝送される前記基地局の数に基づいて、前記基地局のうちのどれが、どのＲＥ上で伝送されるかを導出することをさらに含む、項目２０に記載の方法。
（項目３１）
前記受信された修正ＲＳの強度および品質の両方を測定し、Ｎ個の最強のものを報告することをさらに含む、項目１９に記載の方法。
（項目３２）
前記受信された修正ＲＳの強度および品質を前記基地局にマップするテーブルを確立することをさらに含む、項目３１に記載の方法。
【図面の簡単な説明】
【００１０】
１つ以上の種々の実施形態による、本発明は、以下の図を参照して詳細に説明される。図面は、例証のみの目的のために提供され、単に、本発明の例示的実施形態を描写する。これらの図面は、本発明の読者の理解を促進するために提供され、本発明の範疇、範囲、または適用性の制限と見なされるべきではない。例証の明確性および容易性のために、これらの図面は、必ずしも、縮尺通りではないことに留意されたい。
【図１】図１は、１つのＰＲＢにおけるＣＳＩ−ＲＳ伝送のために構成可能なＲＥの実施例を描写する。
【図２】図２は、旧来のＵＥへのＰＤＳＣＨ伝送に起因する、ＣＳＩ−ＲＳへの干渉の実施例を描写する。
【図３】図３は、本発明の１つ以上の実施形態による、モバイル通信ネットワーク内におけるセル発見のための修正参照信号伝送をサポートするシステムの実施例を描写する。
【図４】図４は、本発明の１つ以上の実施形態による、修正ＣＳＩ−ＲＳ発見信号伝送のための構成の２つの実施例を描写する。
【図５】図５は、本発明の１つ以上の実施形態による、モバイル通信ネットワーク内におけるセル発見のための修正参照信号伝送をサポートするプロセスの実施例のフローチャートを描写する。
【発明を実施するための形態】
【００１１】
種々の実施形態は、同一参照が類似要素を示す、付随の図面の図において、限定としてではなく、実施例として例証される。本開示における「ある（ａｎ）」または「１つ（ｏｎｅ）」または「いくつかの（ｓｏｍｅ）」実施形態という言及は、必ずしも、同一の実施形態ではなく、そのような言及は、少なくとも１つを意味することに留意されたい。
【００１２】
例示的実施形態の以下の説明では、その一部を形成し、本発明が実践され得る具体的実施形態の例証として示される付随の図面を参照する。他の実施形態が利用され得、構造上の変更が、本発明の好ましい実施形態の範囲から逸脱することなく、行われ得ることを理解されたい。
【００１３】
本発明は、セルラーまたはモバイル通信システムのためのシステムおよび方法を対象にする。本発明の実施形態は、ＬＴＥネットワークに関連して、本明細書に説明される。しかしながら、本発明は、ＬＴＥネットワークのみに限定されず、本明細書に説明される方法もまた、非限定実施例に対して、モバイル／モバイル通信、ワイヤレスローカルループ通信、ワイヤレスリレー通信、またはワイヤレスバックホール通信等の他の用途において利用されることができる。
【００１４】
前述の問題を解決するために、チャネル状態情報参照信号（ＣＳＩ−ＲＳ）に基づく特殊発見信号が、調査される。ＣＳＩ−ＲＳは、ＵＥが、セル特有参照信号（ＣＲＳ）の代わりに、復調のためにＵＥ特有復調参照信号（ＤＭＲＳ）を使用しているときのリンク適応の目的のために、リリース１０（Ｒ１０）において導入された。ＣＳＩ−ＲＳは、リリース１１（Ｒ１１）においてさらに拡張された。
【００１５】
以下に言及されるように、フレームは、セルが、規定されたフレーム境界内で同期を取得し、ＣＳＩ−ＲＳの伝送を開始し得る速度を統制する主要構造を提供する。フレームは、長さと、典型的には、フレーム内の固定の所定の位置に位置する既知のシーケンスを搬送する同期信号の存在と、フレームに関する制御情報とによって主に特徴付けられる。フレームは、いくつかのいわゆるサブフレームにさらに分割されることができ、これは、１つのフレームが、時間ドメインにおいて、異なるユーザ間で共有されることを可能にする。
【００１６】
ＣＳＩ−ＲＳ伝送のために構成され得るあるサブフレームが存在する。規格は、５ｍｓ〜８０ｍｓの構成可能期間と任意のサブフレームオフセットとを伴って、ＣＳＩ−ＲＳの再発伝送を可能にする。例えば、４０のリソース要素（ＲＥ）が、２つの物理リソースブロック（ＰＲＢ）から成る１つのＣＳＩ−ＲＳサブフレーム内のＣＳＩ−ＲＳに配分されることができる。これらのＲＥは、１つのＰＲＢ対におけるＣＳＩ−ＲＳ伝送のために構成可能なＲＥを描写する図１の実施例では、黒色に示され、水平軸は、ＯＦＤＭシンボルを表し、垂直軸は、サブキャリア番号を表す。図１に描写されるグリッド全体は、１つのＣＳＩ−ＲＳサブフレームに属する２つのＰＲＢ内で利用可能なＲＥを図示し、黒色ＲＥは、ＣＳＩ−ＲＳ伝送のために構成されることができるものである。図１に描写されるパターンは、システム帯域幅全体にわたって繰り返される。ＣＳＩ−ＲＳが、これらのＲＥ上で伝送されない場合、それらは、典型的には、物理ダウンリンク共有チャネル（ＰＤＳＣＨ）伝送のために使用される。ＣＳＩ−ＲＳ伝送は、システム帯域幅全体に及ぶ。１つのＰＲＢのためのＲＥのパターンは、無線リソース制御（ＲＲＣ）信号伝達によって構成され、次いで、そのサブフレーム内の全ＰＲＢに適用される。例えば、典型的システム帯域幅２０ＭＨｚに対して、１００のＰＲＢが存在し、全て、ＰＲＢ内の同一ＲＥ上で同一ＣＳＩ−ＲＳ信号を伝送する。例えば、１つの一意のＣＳＩ−ＲＳリソース構成は、１、２、４、または８のアンテナポートをサポートし、２、２、４、または８のＲＥを占有し得る。
【００１７】
Ｒ１１では、３の異なるタイプのＣＳＩ−ＲＳ構成が存在する。
・情報要素（ＩＥ）ＣＳＩ−ＲＳ−ＣｏｎｆｉｇＮＺＰにおいて定義された非ゼロ電力ＣＳＩ−ＲＳリソース構成。この伝送のために配分されたＲＥ上において、ＵＥは、信号電力を測定し、完全ＣＳＩを算出するために、他の方法において、チャネルを推定する。ＵＥは、３つの異なる、典型的には、重複しない、ＲＥのセット上で伝送される、最大３つの異なる非ゼロ電力構成を測定するように設定されることができる。使用されるアンテナポートの数に応じて、各リソース構成は、４０の利用可能なものから２〜８つの異なるＲＥを必要とする。
・ＩＥ  ＣＳＩ-ＩＭ-Ｃｏｎｆｉｇにおいて定義される、干渉測定のためのＣＳＩ−ＲＳリソース構成。この構成に定義されたＲＥは、干渉を測定するために、ＵＥによって使用されるものとする。典型的には、ＵＥのサービングセルは、これらのＲＥ上ではミュートされ、１つまたはいくつかの近傍セルが、伝送するであろう。１つの個々のＣＳＩ−ＩＭ構成内に定義されるＲＥの数は、４〜４０（それらの全て）であり、４のＲＥの粒度を伴う。ＵＥは、３つの個々のＣＳＩ−ＩＭリソース構成を用いて設定されることができる。
・ＩＥ  ＣＳＩ−ＲＳ−ＣｏｎｆｉｇＺＰにおいて定義される、ゼロ電力ＣＳＩ−ＲＳ構成。ＲＥは、ＣＳＩ−ＩＭと同一方法で構成されるが、干渉推定のために、ＵＥによって明示的に使用されない。４つの個々のゼロ電力ＣＳＩ−ＲＳリソース構成が、存在する。
ＣＳＩ−ＲＳ構成のタイプに基づいて、ＣＳＩプロセスが、次いで、定義されることができ、ＣＳＩプロセスにおいて、ＵＥは、チャネル状態に関するフィードバックをネットワークに提供する方法を知らされる。そのようなＣＳＩプロセス内では、非ゼロ電力ＣＳＩ−ＲＳのための１つのリソース構成およびＣＳＩ−ＩＭのための１つのリソース構成が、定義される。ＵＥは、最大４つの異なるＣＳＩプロセスで構成されることができる。
【００１８】
Ｒ１１が、使用されるとき、チャネル品質インジケータ（ＣＱＩ）が、ＵＥによって報告される。これは、リンク適応に好適である。しかしながら、セル発見のために、ＣＱＩの代わりに、またはそれに加え、参照信号受信電力（ＲＳＲＰ）および／または参照信号受信品質（ＲＳＲＱ）値を報告する方が良いであろう。加えて、３つの非ゼロ電力および３つの干渉測定の構成のみが、ＲＲＣ信号伝達を用いて、ＵＥ毎に設定されることができる。その結果、３つのみのセルが、１つのサブフレーム中に発見されることができる。３つを上回るセルが発見されるべき場合、ネットワークは、ＲＲＣ再構成を使用して、新しいリソース構成をＵＥに設定する必要があり、これは、信号伝達オーバーヘッドをもたらし、効率的様式において、セルの同時発見を達成することに役立たないであろう。ＣＳＩ−ＲＳは、帯域幅全体にわたって伝送されるため、殆どの場合、不必要に多数のＲＥが、１つのセルの発見信号のために使用される。ＣＳＩ−ＲＳが、より少ないＲＥ上で伝送される場合、解放されたリソースは、他のセルによって使用され、故に、より多くのセルが、１つのサブフレーム中に発見される。
【００１９】
旧来のＲ８／Ｒ９  ＵＥへのＰＤＳＣＨ伝送は、Ｒ１１では定義されないため、セル発見のために、Ｒ１１におけるようなＣＳＩ−ＲＳの使用は、スループットをそれらのＵＥに限定するか、またはＰＤＳＣＨ干渉に起因して、性能を低下させる。具体的には、Ｒ８およびＲ９では、ＣＳＩ−ＲＳは存在せず、Ｒ１０およびＲ１１下のＵＥのみ、ＣＳＩ−ＲＳの存在を理解し、ＣＳＩ−ＲＳは、通常、ＰＤＳＣＨ伝送のために意図される、ＲＥ上で伝送される。ＰＤＳＣＨ伝送が、ＣＳＩ−ＲＳサブフレーム上で、Ｒ１０／１１下のＵＥにスケジューリングされる場合、ＰＤＳＣＨは、ＣＳＩ−ＲＳ  ＲＥ上で伝送されない。一方、ＰＤＳＣＨ伝送が、Ｒ８／９下のＵＥにスケジューリングされる場合、規格は、ＣＳＩ−ＲＳ  ＲＥ上のＰＤＳＣＨが伝送されることになるかどうかを規定しない。
【００２０】
Ｒ１０／Ｒ１１下のＵＥは、サブフレーム内のＣＳＩ−ＲＳを測定することができるが、同時に、参照信号は、旧来のＵＥへのＰＤＳＣＨ伝送によって干渉され得る。Ｒ８またはＲ９  ＵＥは、図２の実施例に図示されるように、サブ帯域／サブフレームにわたってのみ、またはシステム帯域幅全体にわたってのいずれかにおいて、ＣＳＩ−ＲＳサブフレーム中、スケジューリングされ得、図２は、旧来のＵＥへのＰＤＳＣＨ伝送に起因するＣＳＩ−ＲＳへの干渉を描写する。ＰＤＳＣＨが、ＣＳＩ−ＲＳの上層で伝送される場合、それは、性能に対する以下の２つの負の影響を有するであろう。１）ＣＳＩ−ＲＳ測定は、干渉によって妨害され、２）ＰＤＳＣＨ伝送は、干渉される。第２の選択肢は、単に、ＣＳＩ−ＲＳ  ＲＥ上で任意のＰＤＳＣＨを旧来のＵＥに伝送しないことであろうが、これは、最悪の場合、ＣＳＩ−ＲＳサブフレームの約３４％が使用されないという結果をもたらすであろう。図２の左側に示されるように、Ｒ８  ＵＥのいずれも、ＣＳＩ−ＲＳ伝送の間、ＰＤＳＣＨを受信しない。したがって、Ｒ１０／Ｒ１１  ＵＥがＣＳＩ−ＲＳを測定するとき、干渉は、生じない。図２の中央では、Ｒ８  ＵＥおよびＲ１０／１１  ＵＥは、同時に、但し、異なるサブキャリア上でスケジューリングされる。Ｒ８  ＵＥは、ＰＤＳＣＨを受信し、これは、ＣＳＩ−ＲＳの上層で伝送される。Ｒ１０／Ｒ１１  ＵＥは、システム帯域幅全体にわたって、ＣＳＩ−ＲＳを測定する。ＰＤＳＣＨが伝送されるそれらのＲＥ上では、そのＣＳＩ−ＲＳ測定は、妨害され得る。図２の右側では、Ｒ８  ＵＥは、システム帯域幅全体にわたって、スケジューリングされる。したがって、全ＣＳＩ−ＲＳ測定が、干渉されるであろう。
【００２１】
ＣＳＩ−ＲＳ測定において、より優れた性能を得るために、ＣＳＩ−ＲＳ  ＲＥ上でのＲ８／Ｒ９下のＵＥへのＰＤＳＣＨ伝送は、回避されるべきである。これは、干渉測定リソースに対する場合であり、非ゼロ電力ＣＳＩ−ＲＳリソースに対する場合でもあり、これは、依然として多くの旧来のＵＥが使用中であるＨｅｔＮｅｔの初期展開において特にスケジューラに負の制限を課し得る。
【００２２】
提案されるアプローチは、ある検出および測定性能を維持しながら、１つのＣＳＩ−ＲＳサブフレーム内で可能な限り多くのセルを発見するように構成される、システムおよび方法を検討する。提案されるアプローチは、少なくとも、１つのクラスタ内の予期されるスモールセルの数（例えば、１０）を明確に識別し、基地局／マクロセルのサービスエリア内の全スモールセルをさらに識別するように構成される。発見信号（ＤＳ）が、セルを区別することを可能にする場合、セルの発見信号と物理セルインデックス（ＰＣＩ）との間の１対１のマッピングが、確立されることができる。旧来のＵＥへのＰＤＳＣＨのスケジューリングに及ぼすスモールセル発見の影響は、可能な限りわずかとなる。提案されるアプローチは、ＰＤＳＣＨを、サブ帯域上の全ＣＳＩ−ＲＳ  ＲＥ上で、Ｒ８／Ｒ９下のＵＥに伝送するようにさらに構成される。
【００２３】
図３は、モバイル通信ネットワーク内におけるセル発見のための修正参照信号伝送をサポートする、システム３００の実施例を描写する。図は、機能的に別個であるようなコンポーネントを描写するが、そのような描写は、単に、例証目的のためである。この図に表現されるコンポーネントは、任意に、別のソフトウェア、ハードウェアおよび／またはハードウェアコンポーネントに組み合わせられるか、またはそれらへ分割され得ることが明白であるであろう。
【００２４】
図３の実施例では、システム３００は、複数の基地局（また、本明細書では、「セル」または「伝送点」とも称される）１０２を含み、各々は、参照信号修正ユニット１０４を有し、１つ以上のモバイルまたはユーザ機器（ＵＥ）１０６が、基地局１０２のサービスエリア内において、基地局１０２に接続し、ＵＥ１０６は、発見信号（ＤＳ）ユニット１０８を含む。ＣＳＩ−ＲＳは、以下の議論では、非限定的実施例として使用されるが、以下に論じられるアプローチはまた、ＰＲＳ等の他の発見または参照信号（ＲＳ）にも適用される。以下に言及されるように、各基地局１０２は、限定ではないが、マクロ基地局、高伝送電力基地局、低電力ノード、または識別および接続のために、多層ネットワークにおいて、セル識別をＵＥ１０６に伝送するように動作可能である任意の他のタイプの基地局であることができる。各ＵＥ１０６は、限定ではないが、モバイルコンピューティング、ストレージ、もしくはラップトップＰＣ、タブレットＰＣ、ｉＰｏｄ（登録商標）、ｉＰｈｏｎｅ（登録商標）、ｉＰａｄ（登録商標）、Ｇｏｏｇｌｅ  Ａｎｄｒｏｉｄデバイス、ポータブルストレージデバイス、または携帯電話等の通信デバイスのうちの１つであることができる。
【００２５】
以下に言及されるように、用語「ＵＮＩＴ（ユニット）」は、ハードウェア、ファームウェア、またはソフトウェアおよびソフトウェアを実行するための対応するプロセッサ、もしくは目的を達成させるために使用されるこれらのコンポーネントの１つ以上の任意の組み合わせを含む。非限定実施例として、ソフトウェア命令は、不揮発性メモリ（また、二次メモリとも称される）内に記憶される。ソフトウェア命令が実行されると、少なくとも、ソフトウェア命令のサブセットは、コンピューティングユニットによってメモリ（また、一次メモリとも称される）の中に読み込まれる。ソフトウェア命令が実行されると、少なくとも、ソフトウェア命令のサブセットは、メモリの中に読み込まれ、コンピューティングユニットは、プロセスを実践するために、特殊目的のコンピューティングユニットになる。汎用コンピューティングユニット上で実装されると、コンピュータプログラムコードセグメントは、具体的な論理回路を作るようにコンピューティングユニットを構成する。代替として、プロセスは、プロセスを実施するための特定用途集積回路（ＡＳＩＣ）から形成されるデジタル信号プロセッサ内で少なくとも部分的に具現化され得る。
【００２６】
図３の実施例では、基地局／セル１０２の各々の参照信号修正ユニット１０４は、ＣＳＩ−ＲＳに基づいて、発見信号または参照信号を修正し、複数のセル１０２を表し、伝送のためのＣＳＩ−ＲＳ信号の１つのサブフレーム中に表されるセル１０２の数を最大化するように構成される。非限定的実施例に関して、１つのサブフレーム中の参照信号伝送のために利用可能なＲＥの数は、ＮＰＲＢ＊４０であり、式中、ＮＰＲＢは、１つのサブフレーム中に利用可能なＰＲＢ対の数である。便宜上、１００ＰＲＢ対をもたらすシステム帯域幅２０ＭＨｚが、非限定的実施例としてここでは仮定される（他のシステム帯域幅も、同様にサポートされる）。その結果、４０００のＲＥが、スモールセル発見のために利用可能となる。規格が、ここで定義されるため、少なくとも２つのＲＥが、１つのＣＳＩ−ＲＳ構成のために使用される必要があるが、２つのセル１０２が、同一の２つのＲＥ上において、符号多重化方式で伝送することができる。現在、不必要な数のＲＥが、発見されるべき１つのセルを表すために使用されている。すなわち、ＰＲＢ対あたり２のＲＥであり、２０ＭＨＺ帯域中１００のＰＲＢ対は、２００のＲＥが１つのセル１０２の発見信号のために使用される結果をもたらす。シミュレーションによって、８〜１６のＲＥが、確実なセル発見のために十分であると仮定することがより合理的であることが示されている。いくつかの実施形態では、参照信号修正ユニット１０４は、例えば、検出確率に関する所与の要件に基づいて、１つのセル１０２が伝送する必要があるＣＳＩ−ＲＳのＲＥの数を計算／シミュレートするように構成される。いくつかの実施形態では、ＣＳＩ−ＲＳ内に表されるセル１０２の数を最大化する代わりに、参照信号修正ユニット１０４は、利用されるＲＥの数を最小に低減させながら、修正ＲＳにおいて表されるセルの数を一定に保つように構成され、これは、ＰＤＳＣＨ伝送上でのＲ８  ＵＥへの干渉を最小化する。
【００２７】
いくつかの実施形態では、参照信号修正ユニット１０４は、修正ＣＳＩ−ＲＳ内の１つのＰＲＢ内に配分されるＲＥの数の最小粒度を２つのＲＥから１つのＲＥに変更するように構成され、これは、１つのＰＲＢ内のＲＥ配分のために、より柔軟性をもたらす。別の実施形態では、参照信号修正ユニット１０４は、現時点において、規格内に定義されている通り、最小粒度を不変に保つように構成される。いくつかの実施形態では、１つのセルのために使用される１つのＰＲＢ内のＲＥの数は、構成可能である。加えて、１つのサブフレーム内でＣＳＩ−ＲＳ信号を送信することができる、基地局／セル１０２の数もまた、構成可能である。極端な例の１つは、１つのセル１０２の参照信号修正ユニット１０４が、全４０のＲＥを利用するものであり、別の極端な例は、４０のセル１０２のＣＳＩ−ＲＳユニット１０４が、各々が１つのＲＥを使用することであろう。いくつかの実施形態では、参照信号修正ユニット１０４はまた、Ｒ１１  ＬＴＥ規格における全ＰＲＢの使用の代わりに、より少ない数のＰＲＢを使用して、１つのＣＳＩ−ＲＳ構成のためのＣＳＩ−ＲＳを伝送することを選定することができ、選定されたＰＲＢは、連続である必要はない。
【００２８】
セル１０２を確実に発見するために必要とされるＲＥの最終数は、展開における無線条件に応じて変動し得る。いくつかのシナリオでは、わずかなＲＥのみ、必要とされ得る一方、他のシナリオでは、多くのＲＥが、セル１０２を発見するために必要とされる。常時、システム帯域幅全体において、全ＰＲＢにわたって同一ＲＥ上で１つの単一セルを表す同一ＣＳＩ−ＲＳを伝送することは、リソースの無駄となるであろう。いくつかの実施形態では、参照信号修正ユニット１０４は、セル１０２の発見信号と物理セルインデックス（ＰＣＩ）との間の柔軟な「セル／ＣＳＩ-ＲＳリソース（ＲＥ／ｐＲＢ）」マッピングを提供するように構成され、それによって、セルあたり最小要求数のＲＥ／ＰＲＢが利用されることができ、最大数のセル１０２が、１つのサブフレーム内に表され、かつ発見されることができる。単一ＰＲＢ対内の４０のＲＥに基づく発見と、１００ＰＲＢ対に拡散された４０のＲＥに基づく発見との間の性能は、後者における周波数多様性に起因して異なり得る。
【００２９】
いくつかの実施形態では、利用可能なＰＲＢの最大数は、ＬＴＥシステムが異なるシステム帯域幅で展開され得るため、利用可能な帯域幅に基づいて、可変である。参照信号修正ユニット１０４による柔軟性のある構成アプローチは、これをＲＥの配分に考慮する。非限定的実施例に対して、２０のＲＥが、セル１０２を発見するために必要とされると仮定する。２０ＭＨｚシステムでは、ＰＲＢ内に１つのＲＥを割り当て、次いで、周波数ドメインで２０のＰＲＢを使用することが可能である。しかし、３ＭＨｚシステムでは、周波数ドメインで利用可能なＰＲＢの数は、より小さい。その場合、１つのＰＲＢ対内において、セル１０２のためにより多くのＲＥを使用して、次いで、周波数ドメインでより少ないＰＲＢ対を有することがより良いであろう。１００の利用可能なＰＲＢの１つの例示的シナリオでは、要求されるＲＥの数は、以下の式によって説明されることができる。
【００３０】
【数１】
0006513079.tif 000002
【００３１】
式中、ＮＤｅｃｔは、１つのセルを発見するために要求されるＲＥの数であり、ＲＥＰＲＢｐａｉｒは、１つのセル１０２を表すために使用される１つのＰＲＢ対内のＲＥの数であり、ＫＰＲＢｐａｉｒは、セル１０２のためのＣＳＩ−ＲＳを表すために周波数ドメイン内で使用されるＰＲＢの数である。現在のＲ１１−ＬＴＥ規格では、ＲＥＰＲＢｐａｉｒのみ、１〜８つに構成可能であり、ＫＰＲＢｐａｉｒは、常時、１００に等しい（２０ＭＨｚシステム帯域幅に対して）。その結果、殆どの例では、あまりに多くのＲＥが、１つのセルに対して無駄にされ、わずかな例では、あまりに少ないＲＥが、利用可能でありり得る。
【００３２】
別の非限定的実施例に対して、１００ＰＲＢ対および４０００のＲＥが、利用可能であり、２０のＲＥが、１つのセル１０２を発見するために使用され、（本実施例に対して、これらのＲＥが、周波数ドメイン内に拡散されるか、または単一ＰＲＢ内に配分されるかどうかについては論じられない）、次いで、４０００／２０＝２００の一意のセルが、適切なＲＥ配分を用いて発見されることができると仮定する。本実施例のためのＲＥ配分は、異なる方法で行われることができる。極端な例の１つは、１つのセル１０２のために１つのＰＲＢ対内で２０のＲＥを、別のセル１０２のために残りの２０のＲＥを使用するものであり、全てのＰＲＢ対は、２つの新しいセルを表す。別の極端な例は、１つのＰＲＢ内の４０のＲＥの各々が、１つのセル１０２を表し、２０のＰＲＢが、セル１０２を表すために、周波数ドメインで必要とされるものである。
【００３３】
いくつかの実施形態では、参照信号修正ユニット１０４は、単一基地局１０２またはｅＮＢが、システム帯域幅全体にわたってではなく、定義されたＰＲＢ上でのみＣＳＩ−ＲＳを伝送すべきであるように、異なるセルのために、ＣＳＩ−ＲＳの周波数ドメイン多重化をサポートするように構成される。いくつかの実施形態では、新しい発見プロセス、例えば、発見信号（ＤＳ）プロセスが、規格内に定義されたＣＳＩプロセスと同様に導入されるべきである。周波数多重化方式で参照信号を伝送し、セル発見を向上させることは、ネットワーク側およびＵＥ側の両方に新規技法を伴う。ネットワーク側では、参照信号修正ユニット１０４は、信号を修正および伝送し、ＵＥ１０６から受信された報告を評価するように構成される。ＵＥ側では、ＵＥ１０６のＤＳユニット１０８は、参照信号の新しい構成を理解し、測定および報告を行うように構成される。
【００３４】
いくつかの実施形態では、参照信号修正ユニット１０４は、開始ＰＲＢ、次のＰＲＢへの周波数ジャンプ、および修正ＣＳＩ−ＲＳ内の総ＰＲＢの数のうちの１つ以上のものを規定するように構成される。別の実施形態では、最低ＰＲＢ（典型的には、０）に向かったＰＲＢオフセットΔＰＲＢが、定義され得る。修正ＣＳＩ−ＲＳ信号の伝送は、次いで、ｋ＊ΔＰＲＢに等しいＰＲＢ上でシステム帯域幅全体に及ぶであろう（式中、ｋは自然数であり、全ｋに対して、積ｋ＊ΔＰＲＢは、システム帯域幅内の利用可能なＰＲＢを指すであろう（すなわち、ｋ＊ΔＰＲＢは、２０ＭＨＺシステム帯域幅に対して１００以下に等しくなるであろう））。伝送に対して、帯域幅全体にわたる伝送が仮定されないため、末端ＰＲＢは、規定される必要はない。
【００３５】
前述のアプローチ下、あるＰＲＢは、参照信号修正ユニット１０４によって、ＣＳＩ−ＲＳベースの信号強度および品質計算から除外されることができ、それらは、旧来のＵＥへの無干渉ＰＤＳＣＨ伝送のために使用されることができる。非限定的実施例に関して、２０のセルのみ、発見される必要があるとき、セルあたり２０のＲＥで十分である。その結果、ＣＳＩ−ＲＳは、１０ＰＲＢ対上でのみ伝送され得、残りの９０ＰＲＢ対は、ＣＳＩ−ＲＳ伝送のために未使用のまま残される。
【００３６】
図４は、修正ＣＳＩ−ＲＳ発見信号伝送のための構成の２つの実施例を描写する。図４の左側には、２０のＲＥが、１つのＰＲＢ対において１つのセルのために使用される。したがって、２つのセルの発見信号（ＤＳ）が、全ての新しいＰＲＢ対ごとに送信される。図４の右側では、４０のＲＥが、各ＰＲＢ対において異なるセルのために使用される。したがって、２０のＰＲＢ対が、１つのセルのためにＤＳを送信するために必要とされる。１つのセルのために使用されるＰＲＢは、連続である必要はないことに留意されたい。非限定的実施例に関して、セル１−１０は、ＰＲＢ１、３、５、７、９上で伝送され、セル１１−２０は、ＰＲＢ２、４、６、８、１０上で伝送される、リソース構成は、設定されることができる。加えて、セル１０２は、システム帯域幅全体にわたって伝送せず、その一部にわたってのみ伝送する。他のセル１０２は、異なるサブキャリア上で同一ＣＳＩ−ＲＳを伝送し得る。
【００３７】
図３の実施例では、ＵＥ１０６のＤＳユニット１０８は、伝送される修正ＣＳＩ−ＲＳ内に含まれるセル１０２を発見するように構成される。最初に、ＤＳユニット１０８は、修正ＣＳＩ−ＲＳ信号を用いて、ＤＳプロセスＩＤを受信し、ＣＳＩ−ＲＳのために使用されるサブフレーム内でＲＥを構成するように構成される。構成されるＲＥを使用して、伝送されるセルの規定された数に基づいて、ＤＳユニット１０８は、次いで、どのセル１０２が、どのＲＥ上で伝送されるかを導出するように構成される。この情報は、例えば、ＲＥを異なるセル１０２にマッピングする、規格化されたテーブルから得られ得る。非限定的実施例に対して、２０のＲＥおよび４つのセルが構成される場合、ＤＳユニット１０８は、次いで、セルへのＲＥのあるマッピング、例えば、セル１のためのＲＥ１−５、セル２のためのＲＥ６−１０等を導出するであろう。
【００３８】
いくつかの実施形態では、ＵＥ１０６のＤＳユニット１０８は、修正ＣＳＩ−ＲＳの強度および／または品質を測定し、測定をサービングセル１０２に報告するように構成される。いくつかの実施形態では、ＵＥ１０６のＤＳユニット１０８は、構成されるセルのために受信された修正ＣＳＩ−ＲＳの強度および品質を測定し、Ｎ個の最強のものを報告するように構成される。サービング基地局／セル１０２の参照信号修正ユニット１０４は、次いで、受信された修正ＣＳＩ−ＲＳの強度および品質を異なるセルにマップする、テーブルを確立することができる。いくつかの実施形態では、テーブルは、規格化される必要はない。一実施形態では、サービングセル１０２は、このテーブルをネットワーク内のいずれかにある中心ＣＳＩ−ＲＳ発見信号構成点から得る。
【００３９】
図５は、モバイル通信ネットワーク内におけるセル発見のための修正参照信号伝送をサポートする、プロセスの実施例のフローチャート５００を描写する。この図は、例証の目的のための特定の順序における機能的ステップを描写するが、プロセスは、ステップの任意の特定の順序または範囲に限定されない。当業者は、この図に表現された種々のステップが、種々の方法で、省略、再配列、組み合わせ、および／または適応され得ることを認識するであろう。
【００４０】
図５の実施例では、フローチャート５００は、ブロック５０２から開始し、そこで、チャネル状態情報参照信号（ＣＳＩ−ＲＳ）が、ＣＳＩ−ＲＳの１つのサブフレーム中に複数のセル／基地局／伝送点を表すように修正され、修正ＣＳＩ−ＲＳ内に表されるセルの数は、最大化される。フローチャート５００は、ブロック５０４に継続し、そこで、修正ＣＳＩ−ＲＳが、基地局のサービスエリア内に位置する、１つ以上のユーザ機器（ＵＥ）に伝送される。フローチャート５００は、ブロック５０６に継続し、そこで、修正ＣＳＩ−ＲＳを受信すると、修正ＣＳＩ−ＲＳ内のセルがＵＥによって発見される。フローチャート５００は、ブロック５０８で終了し、そこで、受信された修正ＣＳＩ−ＲＳの強度が、測定され、基地局に報告される。
【００４１】
本発明の１つ以上の実施形態が、上記に説明されているが、それらは、限定としてではなく、実施例にすぎないものとして提示されていることを理解されたい。同様に、種々の図または略図は、本開示に含まれ得る特徴および機能性を理解する際に、補助するために行われる、本開示に関するアーキテクチャまたは他の構成である実施例を描写し得る。本開示は、例証される例示的アーキテクチャまたは構成に制限されないが、様々な代替アーキテクチャおよび構成を使用して、実装されることができる。
【００４２】
加えて、本発明は、種々の例示的実施形態および実装の観点から上記に説明されるが、１つ以上の個々の実施形態に説明される種々の特徴および機能性は、そのような実施形態が説明されるかどうか、かつそのような特徴が説明される実施形態の一部として提示されるかどうかにかかわらず、それらが説明される特定の実施形態のその適用性に限定されず、代わりに、単独またはいくつかの組み合わせで、本発明の１つ以上の他の実施形態に適用され得ることを理解されたい。したがって、本発明の範疇および範囲は、上記に説明される例示的実施形態のいずれかによって限定されるべきではない。
【００４３】
本書に説明される１つ以上の機能は、適切に構成されるモジュールまたはユニットによって実施され得る。本明細書に使用される用語「ｍｏｄｕｌｅ（モジュール）」または「ユニット」は、本明細書に説明される関連付けられる機能を実施するためのハードウェア、ファームウェア、ソフトウェアおよびソフトウェアを実行する関連付けられるハードウェア、ならびにこれらの要素の任意の組み合わせを指すことができる。加えて、種々のモジュールまたはユニットは、個別のモジュールであることができる。しかしながら、当業者に明白であろうように、２つまたはそれを上回るモジュールが、本発明の実施形態に従って、関連付けられる機能を実施する単一のモジュールを形成するように組み合わせられ得る。
【００４４】
加えて、本書に説明される１つ以上の機能は、概して、メモリストレージデバイスまたはストレージユニット等の媒体を指すために、本明細書に使用される「コンピュータプログラム製品」、「非一過性コンピュータ読み取り可能な媒体」等に記憶されるコンピュータプログラムコードを用いて実施され得る。コンピュータ読み取り可能な媒体のこれらおよび他の形態は、プロセッサに規定の動作を実施させるために、プロセッサによる使用のため１つ以上の命令を記憶することに関与し得る。そのような命令は、概して、実行されると、コンピューティングシステムが所望の動作を実施することを可能にする「コンピュータプログラムコード」（コンピュータプログラムまたは他の群化の形態で群化され得る）と称される。
【００４５】
明確性の目的のために、上記の説明は、異なる機能的ユニットおよび／またはプロセッサを参照して、本発明の実施形態を説明していることが認識されるであろう。しかしながら、異なる機能的ユニット、プロセッサ、またはドメイン間での機能性の任意の好適な分配は、本発明から逸脱することなく、使用され得ることが明白であるであろう。例えば、別のユニット、プロセッサ、またはコントローラによって実施される例証される機能性は、同一のユニット、プロセッサ、またはコントローラによって実施され得る。故に、具体的機能的ユニットの言及は、本発明によって要求される厳密な論理的または物理な構造もしくは編成を示すのではなく、説明された機能性を提供するための好適な手段の言及のみと見なされる。
【図１】
0006513079.tif 000003
【図２】
0006513079.tif 000004
【図３】
0006513079.tif 000005
【図４】
0006513079.tif 000006
【図５】
0006513079.tif 000007